(57)【特許請求の範囲】
【請求項１】
電話電磁制御装置と電磁ソレノイドは電話電磁制御盤に取付けられ、電話電磁制御盤を警務者が所持する携帯電話に取付け、警務者の手旗の振り上げ動作の手旗信号で、手旗を振り上げで旗用パイプ内を下方に移動する起動スイッチの円筒で円錐の先端と、円錐の背が、電池と接続の＋−端子と導通して、電源が入った警務者の所持する携帯電話に取付けた電話電磁制御盤の電話電磁制御装置は制御され、携帯電話の発信釦の位置に合せて電話電磁制御盤に電磁ソレノイドを取付けてあり、電磁ソレノイドの駆動動作で、ロッドと連動係止したロッド操作リンクで操作軸を軸とした操作機構の釦操作リンクで発信釦を押し、警務者の所持する携帯電話から工事者が所持する携帯電話の着信音を鳴らし、手旗の振り下げ動作の手旗信号で、手旗の旗用パイプ内を起動スイッチが旗の方に移動し、起動スイッチの円錐の先端と背が、＋−端子の電池と導通が切れ、電源が切れれば警務者の所持する携帯電話に取付けた電話電磁制御盤の電話電磁制御装置は制御され、携帯電話の復帰釦の位置に合せて電話電磁制御盤に電磁ソレノイドを取付けてあり、電磁ソレノイドの駆動動作で、ロッドと連動係止したロッド操作リンクで操作軸を軸とした操作機構の釦操作リンクで復帰釦を押し、警務者の所持する携帯電話から、工事者が所持する携帯電話の着信音を消音させるようにして成る手旗信号による電話電磁制御装置。
【発明の詳細な説明】
【技術分野】
【０００１】
本発明は、駅構内の軌道敷内の工事中に接近する車両で、工事車に車両が接近したと警務者が手旗を振り上げ知らせる手旗信号に関る。
【背景技術】
【０００２】
従来の鉄道工事に使う手旗はプラスチック製のパイプに旗を組み合わせたもので、鉄道工事中に車両が接近したと警務者が手旗を振って知らせても工事の騒音等と、工事に集中していて車両と接触、人身事故が起きている現状である。
【発明の開示】
【発明が解決しようとする課題】
【０００３】
本発明は駅構内の軌道敷内の工事中に接近する車両で、工事者に車両が接近したと警務者が手旗を振り上げる位置に関らず、鉄道工事の駅構内の軌道敷内の騒音と、工事者の位置が相当離れていても警務者の手旗信号で、警務者が所持する携帯電話で、携帯電話の発信釦や復帰釦を押す手段をどのようにし、携帯電話で工事場所から工事者を退避させるようにする課題と、手旗信号で警務者が所持の電話電磁制御盤で発信釦や復帰釦を、動作する操作機構で発信釦や復帰釦を押し、警務者が所持の携帯電話から、工事者の所持の携帯電話の着信音を鳴らし、近傍の全員の工事者に着信音により車両が接近したことを知らせ、また、着信音を消音させて近傍の全員の工事者に車両が通過したことを知らせ、工事に復帰させるようにする課題を解決する手旗信号による電話電磁制御装置。
【課題を解決するための手段】
【０００４】
本発明は電話電磁制御装置と電磁ソレノイドは電話電磁制御盤に取付けられ、電話電磁制御盤を警務者が所持する携帯電話に取付け、警務者が手旗を振り上げ動作で手旗信号で、手旗を振り上げ動作により旗用パイプ内を下方に移動する起動スイッチの円錐の先端と、円錐の背が＋−端子と接点接触し、電池と導通して電源が入ると警務者が所持する携帯電話に取付けた電話電磁制御盤の電話電磁制御装置は制御され、携帯電話の発信釦の位置に合せて電話電磁制御盤に電磁ソレノイドを取付けてあり、電磁ソレノイドの駆動動作で、ロッドと連動係止したロッド操作リンクで操作軸を軸とした操作機構の釦操作リンクで発信釦を押し、警務者が所持する携帯電話から、工事者の所持の携帯電話の着信音を鳴らし、近傍の工事者の全員に車両の接近を、着信音により知らせることで課題を解決し、警務者の手旗を振り下げ動作の手旗信号で、旗用パイプ内を起動スイッチが旗の方に移動し、起動スイッチの円錐の先端と、円錐の背に接点接触した＋−端子ボルトは離れ、電池が切れて電源が切れると警務者が所持の携帯電話に取付けた電話電磁制御盤の電話電磁制御装置は制御され、携帯電話の復帰釦の位置に合せて電話電磁制御盤に電磁ソレノイドを取付けてあり、電磁ソレノイドの駆動動作で、ロッドに連動係止したロッド操作リンクで操作軸を軸とした操作機構の場端操作リンクで復帰釦を押し、警務者が所持する携帯電話から、工事者の所持の携帯電話の着信音を消音させて即効に工事場所にて、工事に戻れることで課題を解決して成る手旗信号による電話電磁制御装置。
【発明の効果】
【０００５】
本発明は電話電磁制御装置と電磁ソレノイドは電話電磁制御盤に取付けられ、電話電磁制御盤を警務者が所持する携帯電話に取付け、警務者が手旗を振り上げ動作の手旗信号で、手旗を振り上げ旗用パイプ内を下方に移動する起動スイッチの円錐の先端と背が、＋−端子と接点接触で電池と導通し、電源が入り警務者が所持する携帯電話に取付けた電話電磁制御盤の電話電磁制御装置は制御され、携帯電話の発信釦の位置に合せて電話電磁制御盤に電磁ソレノイドを取付けてあり、電磁ソレノイドが駆動動作で、ロッドと連動係止したロッド操作リンクで操作軸を軸とした操作機構の釦操作リンクで発信釦を押し、警務者が所持する携帯電話から、工事者の所持する携帯電話の着信音を鳴らして、警務者が手旗を振り上げる位置に係らず、工事者の工事する位置と離れていても、工事者の所持する携帯電話の着信音を鳴らして工事場所から工事者を退避させ、その騒音の中で工事していても、近傍の工事者の全員が工事を止め退避させる効果があり、警務者が手旗を振り下げ動作の手旗信号で、旗用パイプ内の起動スイッチが旗の方に移動し、起動スイッチの円錐の先端と背が、電池と接続した＋−端子との導通が離れ、電源が切れれば警務者が所持の携帯電話に取付けた電話電磁制御盤の電話電磁制御装置は制御され、携帯電話の復帰釦の位置に合せて電話電磁制御盤に電磁ソレノイドを取付けてあり、電磁ソレノイドの駆動動作で、ロッドと連動係止したロッド操作リンクで操作軸を軸とした操作機構の釦操作リンクで復帰釦を押し、警務者が所持する携帯電話から、工事者の所持の携帯電話の着信音を消音させ、工事場所に戻り工事の再開の即効なる効果を有し、手旗と警務者が所持する携帯電話に取付けるようにした電話電磁制御盤に設けた電池を接続線で、手に持つ手旗と接続させて、手旗の振り上げ下げの、旗用パイプ内を起動スイッチを上下動で、電池の入り切りの手旗からの手旗信号を接続線で接続して、手旗に電池等を内蔵しないから従来と変わらぬ軽量の手旗とすることの出来た手旗信号による電話電磁制御装置。
【発明を実施するための最良の形態】
【０００６】
以下、本発明の実施の形態を図１〜図３に基づいて説明する。
【実施例】
【０００７】
本発明は、電話電磁制御装置１２と電磁ソレノイド８は電話電磁制御盤１に取付けられ、電話電磁制御盤１を警務者が所持する携帯電話９に取付け、警務者の手旗２の振り上げる動作の手旗信号で、手旗２を振り上げで旗用パイプ３内を下方に移動する起動スイッチ６の円筒で円錐の先端と、円錐の背が、電池７と接続の＋−端子４、５に導通し、電源が入った警務者の所持する携帯電話９に取付けた電話電磁制御盤１の電話電磁制御装置１２は制御され、携帯電話９の発信釦の位置に合せて電話電磁制御盤１に電磁ソレノイド８を取付けてあり、電磁ソレノイド８の駆動動作で、ロッドと連動係止したロッド操作リンク１３で操作軸１５を軸とした操作機構２２の釦操作リンク１４で発信釦を押し、警務者の所持する携帯電話９から、工事者が所持する携帯電話９の着信音を鳴らし、手旗２の振り下げ動作の手旗信号で、手旗２の旗用パイプ３内で起動スイッチ６が旗の方に移動し、起動スイッチ６の円錐の先端と背が、＋−端子４、５の電池７との導通が切れ、電源が切れれば警務者が所持する携帯電話９に取付けた電話電磁制御盤１の電話電磁制御装置１２は制御され、携帯電話９の復帰釦の位置に合せて電話電磁制御盤１に電磁ソレノイド８を取付けてあり、電磁ソレノイド８の駆動動作で、ロッドと連動係止したロッド操作リンク１３で操作軸１５を軸とした操作機構２２の釦操作リンク１４で復帰釦を押し、警務者の所持する携帯電話９から、工事者の所持する携帯電話９の着信音を消音させるようにして成る手旗信号による電話電磁制御装置としたものである。
本発明を図１、２で説明すると、電話電磁制御装置１２と電磁ソレノイド８は電話電磁制御盤１に取付けられ、電話電磁制御盤１は携帯電話９にコ字型形状の電話電磁制御盤１の鉤部１８を有するアンテナ切り欠き溝でアンテナをカバーして鉤部１８で挟むようにして警務者が所持する携帯電話９に電話電磁制御盤１を取付けるようにしてある。
携帯電話９に取り付ける電話電磁制御盤１には、携帯電話９の発信釦の位置に合せて電話電磁制御盤１に電磁ソレノイド８を取付けてあり、電磁ソレノイド８の駆動動作で、ロッドと連動係止したロッド操作リンク１３で操作軸１５を軸として操作機構２２の釦操作リンク１４で発信釦を押し、警務者が所持する携帯電話９から、工事者の所持する携帯電話９の着信音を鳴らし、手旗２の振り下げ動作の手旗信号手旗２の旗用パイプ３内で起動スイッチ６の円錐の先端と背が、＋−端子４、５の電池７との導通が切れ、電源が切れれば警務者が所持する携帯電話９に取付けた電話電磁制御盤１の電話電磁制御装置１２は制御され、携帯電話９の復帰釦の位置に合せて電話電磁制御盤１に電磁ソレノイド８を取り付けてあり、電磁ソレノイド８の駆動動作で、ロッドと連動係止したロッド操作リンク１３で操作軸１５を軸とした操作機構２２の釦操作リンク１４で復帰釦を押し、警務者の所持する携帯電話９から、工事者が所持する携帯電話９の着信音を消音させるようにしたものである。
警務者が手旗２の振り上げ下げ動作の手旗信号で、コ字型形状の電話電磁制御盤１の電話電磁制御装置１２が制御され、電磁ソレノイド８は駆動動作し、電磁ソレノイド８のロッドと連動係止したロッド操作リンクで操作軸１５を軸とした操作機構２２の釦操作リンク１４で、携帯電話９に取付けた電話電磁制御盤１に取付けてある操作機構２２の釦操作リンク１４で発信釦や復帰釦を押すようにしたから、警務者が所持する携帯電話９からは、この場合、警務者の所持の携帯電話には、予め工事者の携帯電話の電話番号を登録してある発信釦が押され、工事者が所持する携帯電話９の着信音を鳴らし、車両の接近を知らせ、車両が通過すれば、警務者の手旗２の振り下げ動作の手旗信号で、電話電磁制御装置１２は制御され、携帯電話９の復帰釦の位置の電磁ソレノイド８が駆動動作すれば、電磁ソレノイド８はロッドと連動動作するロッド操作リンク１３を操作軸１５を軸とした操作機構２２の釦操作リンク１４で復帰釦を押す構成にしたもので、電話電磁制御装置１２が制御されれば、発信釦や復帰釦を、電磁ソレノイド８の駆動動作により、電磁ソレノイド８で操作機構２２の釦操作リンク１４で、携帯電話９の発信釦や復帰釦を押し、警務者が所持する携帯電話９から、工事者の所持の携帯電話９の着信音を鳴らし、或いは、着信音を消音させるようにしたものである。
図３により手旗による手旗信号の詳細について説明すると、３は手旗２のプラスック製の旗用パイプである。上方に旗を取着した旗用パイプ３を、下方から起動スイッチパイプ１１で旗用パイプ３を包み込むようにして挿入取付け、起動スイッチパイプ１１の下端の  底面に設けた孔に２枚の絶縁フェルト１０を介して端子ボルト１７を貫通しボルト止めし、その端子ボルト１７には接続線の端部の＋端子４と端子ボルト１７と共に起動スイッチパイプ１１の底面にボルト止めし、底面の端子ボルト１７と、接続線の端部の＋端子４には、警務者の所持する電話電磁制御盤１内の電池７の（＋）陽極と繋がれた接続線が＋端子４に接続されていろ。また、旗用パイプ内を上下動自在の起動スイッチ６の円筒先端の円錐の背の位置に、接触するように接点の端子ボルト２１が位置するように、起動スイッチパイプ１１の外側から端子ボルト２１と、接続線の端部のー端子５と共に貫通させ、−端子５ト共にボルト止めした端子ボルト２１の先端の接点が、前記した起動スイッチ６の
円筒の先端の円錐の背と接続するようにして、端子ボルト２１の―端子５と接続された接続線を引き出すようにしたもので、端子ボルト２１には警務者の所持する電話電磁制御盤１内の電池７の（―）陰極と繋がれ接続された接続線の端部に設けたー端子５と端子ボルト２１とを接続するようにしたものである。  
前記した＋−端子４、５の接続線で手旗と警務者を接続線で接続し、旗用パイプの下方、起動スイッチパイプ１１に外側から端子ボルト２１でー端子そして、旗用パイプ内を上下動自在の起動スイッチ６の円筒で円錐の先端が、手旗の振り上げ動作の手旗信号で、下方に落下して、前記＋端子４と接続された接点の端子ボルト１７と接触させて電池７の＋回路を構成し、また、前記落下した起動スイッチ６が端子ボルト１７と接点の時、同時に起動スイッチ６の背に接触した接点を起動スイッチパイプ１１の外側から端子ボルト２１でー端子５を接続線を引き出した端子ボルト２１と共にボルト止めし、＋−端子４、５の接続線で手旗２と警務者を接続線で接続し、手旗２と警務者の所持の電話電磁制御盤１の電池７と接続線で接続し、電池７と、起動スイッチ６の円錐の先端と背から、＋−端子４、５により電池７と接続導通させ、手旗信号の振り上げ下げで、電話電磁成魚装置１２は制御され、電話電磁制御盤１の電磁ソレノイド８を駆動され、操作機構２２の釦操作リンク１４で発信釦を押し、或いは、復帰釦を押すようにしたものである。
起動スイッチパイプ１１に嵌挿したナット付リング１９を、上下方に分けた２段の調整
孔２０で、上下方に貫通孔の調整孔２０に使い勝手に調整ビス１６を貫通させ、ナットを介してビス止めし、起動スイッチパイプ１１にナット付リング１９を取着したから、鉄製の起動スイッチパイプ１１の肉厚を薄くする効果で、手旗を従来と変わらぬ軽量化が出来、使い勝手で、上方にナット付リンク１９を取付けて、貫通した調整ビス１６により旗用パイプ内の起動スイッチ６は大きな隙間から上下動自在の状態にして警務の開始が出来、手旗を振り上げる動作で、起動スイッチ６は警務者の持つ手旗２の手元に落下移動し、＋−端子４、５の引き出した接続線を手旗２と警務者を接続線で接続し、警務者が所持の電話電磁制御盤１の電池７と接続して、電源の入り切りの手旗２の振り上げ下げで、発信や復帰を手旗信号で発するようにしてあり、使い勝手に、下方の貫通孔の調整孔２０に、嵌挿したナット付リング１９を調整ビス１６を貫通させ、ビス止めナット付リング１９を起動スイッチパイプ１１に取着し、貫通させた調整ビス１６で旗用パイプ３内で起動スイッチ６を停止固定し、警務者が持ち運びに便にしたものである。
手旗２を振り上げ下げによる手旗信号で、電話電磁制御装置１２の動作状態を説明すると、警務者が勤務開始前において、下方の取着した調整ビス１６を取り外し、上方の貫通孔の調整孔２０に、嵌挿したナット付リング１９の、ナットに調整ビス１６を貫通させ、ビス止めナット付リング１９を起動スイッチパイプ１１に取着し、図のように上方に貫通させた調整ビス１６を起動スイッチ６と離れて位置さて、起動スイッチ６を上下動可能にしてから警務開始、警務開始時の手旗２は下げた状態で起動スイッチ６は下方に下がり手旗信号の電池７との接続は切れている。そして車両接近することにより警務者が手旗２を振り上げ動作の手旗信号で、旗用パイプ３内を起動スイッチ６は下方に移動し、したがって、起動スイッチ６の円錐の先端と背が、＋端子４の端子ボルト１７と起動スイッチ６の円錐の先端が接点接続、同時に起動スイッチ６の先端円錐の背が丁度端子ボルト２１に接点接続して、電池７に接続された＋−端子４、５から引き出した両方の接続線は警務者が所持の携帯電話９の電話電磁制御盤の電池７と接続するようにしたから、警務者の手旗の振り上げの手旗信号で、起動スイッチが端子ボルト１７と端子ボルト２１と接点接触すれば電池７と導通して、電源が入れば電話電磁制御装置１２は制御され、警務者が所持する携帯電話９の発信釦の位置の電磁ソレノイド８が駆動動作し、操作機構２２の釦操作リンク１４で発信釦を押し、工事者が所持する携帯電話９の着信音を鳴らし、また、警務者の手旗２の振り下げの手旗信号で、起動スイッチ６の円錐の先端と背が、それぞれ端子ボルト１７と端子ボルト２１との接点が離れ、電池７の電源が切れれば電話電磁制御装置１２は制御され、警務者の所持する携帯電話９の復帰釦の位置の電磁ソレノイド８は駆動動作し、ロッドと連動係止したロッド操作リンク１３で操作軸１５を軸とした操作機構２２の釦操作リンク１４で復帰釦を押し、工事者の所持する携帯電話９の着信音を消音させる。
但し、携帯電話で通称言う電話番号指定釦を発信釦とし、警務者が所持の携帯電話には、予め携帯電話番号の指定番号を記録し、発信釦を押せば警務者が所持する携帯電話から発信され、工事者の所持の携帯電話の着信音を鳴らし、発信釦には登録した電話番号を常時呼び状態に戻るようにしてある。
携帯電話で通称言う電源切り釦を復帰釦とし、復帰釦が押されれば、警務者の携帯電話は復帰して着信音を消音し、工事者の携帯電話は受信状態に戻り、また、工事者は携帯電話に出ることはないのである。
【産業上の利用可能性】
【０００８】
警務者の手旗の振り上げ下げ動作の手旗信号で、手旗の振り上げで旗用パイプ内が下方に下がれば、電源と接続された端子ボルトに落下した起動スイッチの先端の円錐の背と接続し、起動スイッチで導通し、電源が入れば警務者の所持の携帯電話に取付けた電話電磁制御盤の電話電磁制御装置は制御され、電磁ソレノイドと連動動作する操作機構を介して釦操作リンクで発信釦を押し、警務者が所持の携帯電話から、鉄道工事中の工事者の所持の携帯電話の着信音を鳴らして車両の接近を知らせ工事を中止させ、或いは、復帰釦を押して、警務者の所持する携帯電話に取付けた電話電磁制御盤の電話電磁制御装置は制御され、電磁ソレノイドが駆動動作し、ロッドと連動係止したロッド操作リンクで操作軸を軸として操作機構の釦操作リンクで復帰釦を押し、警務者の所持する携帯電話から、工事者の所持する携帯電話の着信音を消音させて、車両の通過を知ることが出来、警務者の所持する携帯電話に取付けた電話電磁制御盤の電話電磁制御装置を制御するのを手旗信号により制御する、従来の騒音、工事に集中した結果の人身事故を防ぎ、工事者の身近で注意を喚起する手段で安全に鉄道工事が出来る効果を有する利用する可能性は大である。
【図面の簡単な説明】
【０００９】
【図１】本発明の電話電磁制御盤と電磁ソレノイドの釦操作リンクの操作説明図である。
【図２】本発明の電話電磁制御盤と電磁ソレノイド取付図の正面図である。
【図３】本発明の手旗の起動スイッチの移動状態と要部詳細セ梅伊豆である。
【符号の説明】
【００１０】
１    電話電磁制御盤                        ２      手旗
３    旗用パイプ                            ４      ＋端子
５    ―端子                                ６      起動スイッチ
７    電池                                  ８      電磁ソレノイド
９    携帯電話                              １０    絶縁フエルト
１１  起動スイッチパイプ                    １２    電話電磁制御装置
１３  ロッド操作リンク                      １４    釦操作リンク
１５  操作軸                                １６    調整ビス
１７  端子ボルト                            １８    鈎部
１９  ナット付リング                        ２０    調整孔
２１  端子ボルト                            ２２    操作機構
【図１】
0004102399.tif 000002
【図２】
0004102399.tif 000003
【図３】
0004102399.tif 000004